(57)【特許請求の範囲】
【請求項１】
出金紙幣を集積状態で収納する出金紙幣収納部と、この出金紙幣収納部内の紙幣を１枚ずつ分離して繰り出す紙幣繰り出し部と、この繰り出し部により繰り出された紙幣を搬送する搬送部と、この搬送部の途中に設けられ出金正規紙幣と出金不正規紙幣との識別を行う出金紙幣識別部と、この識別部による識別結果に基づいて出金正規紙幣と判断された紙幣を前記搬送部から受収する出金一時保留部と、前記出金紙幣識別部による識別結果に基づいて出金不正規紙幣と判断された紙幣を受収する出金不正規紙幣受収部とを有し、前記出金一時保留部に所望の出金正規紙幣が一時保留されたことを条件に出金一時保留紙幣の機外への取り出しを可能とするものにおいて、出金正規紙幣と出金不正規紙幣との識別を行うとともに出金不正規紙幣について出金に供すべき再識別可能紙幣と出金に供し得ない出金リジェクト紙幣との識別を可能とする出金紙幣識別部と、この出金紙幣識別部の識別結果に基づき出金正規紙幣、再識別可能紙幣、出金リジェクト紙幣を区分けして搬送する搬送部と、この搬送部を区分けされて搬送される出金リジェクト紙幣を受収する出金リジェクト紙幣受収部と、前記出金紙幣収納部の近傍に設けられ前記搬送部を区分け搬送される再識別可能紙幣を一時保留するとともに所定時期にこの一時保留紙幣を出金紙幣収納部へ収納する再識別可能紙幣一時保留部と、正回転により前記出金紙幣収納部内の紙幣を繰り出す正常繰り出し動作、および繰り出し予定紙幣の繰り出し姿勢を矯正すべく一時的な逆回転により紙幣繰り出し姿勢矯正動作を行う紙幣繰り出し部と、前記出金紙幣収納部から繰り出される紙幣が前記出金紙幣識別部を通じて連続して設定枚数分再識別可能紙幣と判断されたとき前記紙幣繰り出し部を正常繰り出し動作から紙幣繰り出し姿勢矯正動作に切り換え、この矯正動作の後に正常繰り出し動作に復帰させる制御部とを具有することを特徴とする紙幣出金処理機。
【請求項２】
出金紙幣を集積状態で収納する複数の金種別出金紙幣収納部と、各金種別出金紙幣収納部ごとに設けられ金種別出金紙幣収納部内の紙幣を１枚ずつ分離して繰り出す紙幣繰り出し部と、各金種別繰り出し部により繰り出された紙幣を搬送する搬送部と、この搬送部の途中に設けられ出金正規紙幣と出金不正規紙幣との識別を行う出金紙幣識別部と、この識別部による識別結果に基づいて出金正規紙幣と判断された紙幣を前記搬送部から受収する出金一時保留部と、前記出金紙幣識別部による識別結果に基づいて出金不正規紙幣と判断された紙幣を受収する出金不正規紙幣受収部とを有し、前記出金一時保留部に所望の出金正規紙幣が一時保留されたことを条件に出金一時保留紙幣の機外への取り出しを可能とするものにおいて、出金正規紙幣と出金不正規紙幣との識別を行うとともに出金不正規紙幣について出金に供すべき再識別可能紙幣と出金に供し得ない出金リジェクト紙幣との識別を可能とする出金紙幣識別部と、この出金紙幣識別部の識別結果に基づき出金正規紙幣、再識別可能紙幣、出金リジェクト紙幣を区分けして搬送する搬送部と、この搬送部を区分けされて搬送される出金リジェクト紙幣を受収する出金リジェクト紙幣受収部と、前記出金紙幣収納部の近傍に設けられ前記搬送部を区分け搬送される再識別紙幣を一時保留するとともに所定時期にこの一時保留紙幣を出金紙幣収納部へ収納する金種別再識別可能紙幣一時保留部と、前記出金紙幣識別部を通過した出金正規紙幣を前記出金一時保留部へ搬送する第１搬送路、前記出金紙幣識別部を通過した出金リジェクト紙幣を前記出金リジェクト紙幣受収部へ搬送する第２搬送路、および前記出金紙幣識別部を通過した再識別可能紙幣を繰り出された金種別出金紙幣収納部に対応する再識別可能紙幣一時保留部へ搬送する第３搬送路を有する搬送部と、正回転により前記金種別出金紙幣収納部内の紙幣を繰り出す正常繰り出し動作、および繰り出し予定紙幣の繰り出し姿勢を矯正すべく一時的な逆回転により紙幣繰り出し姿勢矯正動作を行う金種別紙幣繰り出し部と、前記金種別出金紙幣収納部から繰り出される紙幣が前記出金紙幣識別部を通じて連続して設定枚数分再識別可能紙幣と判断されたとき前記金種別紙幣繰り出し部を正常繰り出し動作から紙幣繰り出し姿勢矯正動作に切り換え、この矯正動作の後に正常繰り出し動作に復帰させる制御部とを具有することを特徴とする紙幣出金処理機。
【請求項３】
機体の前面上部域に形成された出金口部と、機体の背面上部域に形成され前記出金口部からの取り忘れ紙幣を回収する回収口部と、前記出金口部の背部近傍に形成された出金一時保留部と、機体の下部域に配設され出金紙幣を集積状態で収納する複数の金種別出金紙幣収納部と、各金種別出金紙幣収納部ごとにそれぞれ設けられ当該金種別出金紙幣収納部内の紙幣を１枚ずつ分離して繰り出す金種別紙幣繰り出し部と、これら繰り出し部により繰り出された紙幣を搬送するとともに途中に出金紙幣識別部を有し該出金紙幣識別部を通過した紙幣を上方へ搬送する繰り出し紙幣搬送路、前記出金口部と回収口部とを接続すべく前後方向に設けられ前記出金紙幣識別部による識別結果に基づき出金正規紙幣と判断された紙幣の出金一時保留部への送り込みと出金一時保留部に集積された出金すべき集積紙幣の前記出金口部または回収口部への集積状態での搬送とを行う一括搬送路を有する搬送部と、前記出金紙幣識別部による識別結果に基づいて出金不正規紙幣と判断されて前記搬送部を分岐搬送される紙幣を受収する出金不正規紙幣受収部とを有するものにおいて、出金正規紙幣と出金不正規紙幣の識別を行うとともに、出金不正規紙幣については出金に供すべき再識別可能紙幣と出金に供し得ない出金リジェクト紙幣の識別を可能とした出金紙幣識別部と、前記回収口部の前部近傍に形成された出金リジェクト紙幣受収部と、機体の背面下部域に形成され上部に紙幣の繰り出し部および回収部が設けられた補充・回収紙幣収納部と、この補充・回収紙幣収納部の前部に向けて配設された複数の金種別出金紙幣収納部と、各金種別出金紙幣収納部に対応してその上部に設けられ各金種別出金紙幣収納部へ補充すべき各金種別出金紙幣を一時保留する各金種別一時保留部と、前記各金種別出金紙幣収納部に対応してその下部に設けられた各金種別紙幣繰り出し部と、前記補充・回収紙幣収納部から繰り出される紙幣を搬送しその搬送途上には補充紙幣識別部と補充切換部が設けられ、前記補充・回収紙幣収納部から繰り出される紙幣を前記補充紙幣識別部による識別結果に基づき補充切換部で金種別紙幣と補充リジェクト紙幣とに区分けし、金種別紙幣はそれぞれ対応する各金種別一時保留部へ区分けして送る補充紙幣搬送路と、この補充搬送路を通じて送られる補充リジェクト紙幣を収納する補充リジェクト紙幣収納部と、前記繰り出し紙幣搬送路の末端であって搬送紙幣のうち出金正規紙幣は前記出金一時保留部側へ、出金不正規紙幣は前記回収口部側へ搬送方向を切り換える第１切換部と、前記一括搬送路の前記第１切換部と回収口部との間に設けられ前記出金紙幣識別部を通じて再識別可能と判断された紙幣を分岐する第２切換部と、一括搬送路の第２切換部より回収口部側の位置に設けられ出金リジェクト紙幣の搬送方向を出金リジェクト紙幣受収部へ切り換える第３切換部と、前記第２切換部と前記補充紙幣識別部より後流で補充切換部より上流の補充紙幣搬送路域とを接続する接続搬送路と、正回転により前記金種別出金紙幣収納部内の紙幣を繰り出す正常繰り出し動作、および繰り出し予定紙幣の繰り出し姿勢を矯正すべく一時的な逆回転により紙幣の繰り出し姿勢矯正動作を行う金種別紙幣繰り出し部と、前記金種別出金紙幣収納部から繰り出される紙幣が前記出金紙幣識別部を通じて連続して設定枚数分再識別可能紙幣と判断されたとき前記金種別紙幣繰り出し部を正常繰り出し動作から紙幣繰り出し姿勢矯正動作に切り換え、この矯正動作の後に正常繰り出し動作に復帰させる制御部とを具有することを特徴とする紙幣出金処理機。
【発明の詳細な説明】
【０００１】
【発明の属する技術分野】
本発明は、例えば紙幣出金機、紙幣入出金機、循環式紙幣入出金処理機等の紙幣出金処理機に係り、特に出金紙幣収納部から紙幣を繰り出している際に繰り出し異常が生じたとき、その繰り出し異常の解消を可能とする紙幣出金処理機に関する。
【０００２】
【従来の技術】
従来、上記類の紙幣出金処理機として特開２０００−９０３２３号公報に示されるものがある。この公報に記載のものは、本願請求項１記載の発明の前提要件として記載したように、出金紙幣を集積状態で収納する出金紙幣収納部と、この出金紙幣収納部内の紙幣を１枚ずつ分離して繰り出す紙幣繰り出し部と、この繰り出し部により繰り出された紙幣を搬送する搬送部と、この搬送部の途中に設けられ出金正規紙幣と出金不正規紙幣との識別を行う出金紙幣識別部と、この識別部による識別結果に基づいて出金正規紙幣と判断された紙幣を前記搬送部から受収する出金一時保留部と、前記出金紙幣識別部による識別結果に基づいて出金不正規紙幣と判断された紙幣を受収する出金不正規紙幣受収部とを有し、前記出金一時保留部に所望の出金正規紙幣が一時保留されたことを条件に出金一時保留紙幣の機外への取り出しを可能としたものである。
【０００３】
【発明が解決しようとする課題】
しかして上記従来の技術では、紙幣識別部による識別結果が出金不正規紙幣と判断された場合、この紙幣は出金不正規紙幣受収部へ受収されるが、出金紙幣識別部による識別の結果、出金不正規紙幣と判断される紙幣が例えば１０枚連続した場合は機械をエラーダウンとして停止させ、出金紙幣収納部、紙幣繰り出し部、搬送部を調べ、出金不正規紙幣の発生原因を見出して機械を正常状態に復帰させたのち機械を再起動させるようにしている。
【０００４】
上記出金不正規紙幣の発生原因の大半は出金紙幣収納部内の紙幣を紙幣繰り出し部により繰り出す際の斜行繰出しによるものである。
【０００５】
この場合、出金に使用しても何ら支障のない正規紙幣であるにもかかわらず、斜行繰り出し故に正規紙幣とは判断されずに出金不正規紙幣として出金不正規紙幣受収部へ受収されてしまい、その結果この出金不正規紙幣受収部に受収された紙幣は出金に使用されることはなく、紙幣の有効利用を図ることができなかった。
【０００６】
本願請求項１および２に記載の発明は上記の問題点に着目して機械のエラーダウンの機会を減少させることを課題としてなされたものである。
【０００７】
前記従来の紙幣出金処理機の一種として公営競技場に設置して使用するに適する形態としたものがある。
【０００８】
公営競技場、例えば公営競馬場、公営競輪場、公営競艇場などにあっては、レース券を購入してそのレース券が当たった場合には配当金の払い戻しが行われる。  このような公営競技場では、その配当金の支払いのために紙幣出金機が設置されて利用されている。通常このような場所に設置して使用される紙幣出金処理機は、顧客が機械から直接紙幣を取り出せるよう機体の前面に出金口部が設けられており、機械係員は機体の背面側から出金紙幣の補充や回収紙幣の回収操作が行えるようになされている。
【０００９】
すなわちその構成は、本願請求項３に記載の発明の前提要件として記載したように、機体の前面上部域に形成された出金口部と、機体の背面上部域に形成され前記出金口部からの取り忘れ紙幣を回収する回収口部と、前記出金口部の背部近傍に形成された出金一時保留部と、機体の下部域に配設され出金紙幣を集積状態で収納する複数の金種別出金紙幣収納部と、各金種別出金紙幣収納部ごとにそれぞれ設けられ当該金種別出金紙幣収納部内の紙幣を１枚ずつ分離して繰り出す金種別紙幣繰り出し部と、これら繰り出し部により繰り出された紙幣を搬送するとともに途中に出金紙幣識別部を有し該出金紙幣識別部を通過した紙幣を上方へ搬送する繰り出し紙幣搬送路、前記出金口部と回収口部とを接続すべく前後方向に設けられ前記出金紙幣識別部による識別結果に基づき出金正規紙幣と判断された紙幣の出金一時保留部への送り込みと出金一時保留部に集積された出金すべき集積紙幣の前記出金口部または回収口部への集積状態での搬送とを行う一括搬送路を有する搬送部と、前記出金紙幣識別部による識別結果に基づいて出金不正規紙幣と判断されて前記搬送部を分岐搬送される紙幣を受収する出金不正規紙幣受収部とを有するものである。
【００１０】
しかして上記の機械では、前述した問題点に加え下記のような問題点がある。この種の機械では、複数の金種別出金紙幣収納部内の紙幣を全量回収し得る機能が要求される。この回収時には、従来では紙幣は回収口部へ回収されるようになっているが、この回収口部は出金取り忘れ紙幣の最大容量、すなわち出金紙幣最大容量に設定してあり、したがって複数の金種別出金紙幣収納部の紙幣を全量回収するには何回にも分けて回収することにより全量の回収を図らなければならないという不便さを強いられる。
【００１１】
また出金紙幣識別部を通過した紙幣を上方へ搬送する繰り出し紙幣搬送路の途中に出金不正規紙幣の分岐部が設けられており、出金不正規紙幣受収部も機械の内部に配置されているので、係員が操作する回収口部側、すなわち機体の背面側からは操作することができず、機械の側面からの操作となる。
【００１２】
しかし機械の稼働時には機械の両側部に壁面や脇机が存在するので機械の側面から出金不正規紙幣受収部の操作は直ちにはできず、機械をその背部方向へ移動させたうえ機械係員が機械の側面を自由に操作することができる状態として行う必要がある。
【００１３】
本願請求項３に記載の発明は上記の問題点を解消することを課題としてなされたもので、機械のエラーダウンの機会を減少させることに加え、機械操作の容易化を図ったことにある。
【００１４】
【課題を解決するための手段】
上記課題を解決する手段として本発明は、出金紙幣を集積状態で収納する出金紙幣収納部と、この出金紙幣収納部内の紙幣を１枚ずつ分離して繰り出す紙幣繰り出し部と、この繰り出し部により繰り出された紙幣を搬送する搬送部と、この搬送部の途中に設けられ出金正規紙幣と出金不正規紙幣との識別を行う出金紙幣識別部と、この識別部による識別結果に基づいて出金正規紙幣と判断された紙幣を前記搬送部から受収する出金一時保留部と、前記紙幣識別部による識別結果に基づいて出金不正規紙幣と判断された紙幣を出金不正規紙幣として受収する出金不正規紙幣受収部とを有し、前記出金一時保留部に所望の出金正規紙幣が一時保留されたことを条件に出金一時保留紙幣の機外への取り出しを可能とするものにおいて、出金正規紙幣と出金不正規紙幣との識別を行うとともに出金不正規紙幣について出金に供すべき再識別可能紙幣と出金に供し得ない出金リジェクト紙幣との識別を可能とする出金紙幣識別部と、この出金紙幣識別部の識別結果に基づき出金正規紙幣、再識別可能紙幣、出金リジェクト紙幣を区分けして搬送する搬送部と、この搬送部を区分けされて搬送される出金リジェクト紙幣を受収する出金リジェクト紙幣受収部と、前記出金紙幣収納部の近傍に設けられ前記搬送部を区分け搬送される再識別紙幣を一時保留するとともに所定時期にこの一時保留紙幣を出金紙幣収納部へ収納する再識別可能紙幣一時保留部と、正回転により前記出金紙幣収納部内の紙幣を繰り出す正常繰り出し動作、および繰り出し予定紙幣の繰り出し姿勢を矯正すべく一時的な逆回転により紙幣繰り出し姿勢矯正動作を行う紙幣繰り出し部と、前記出金紙幣収納部から繰り出される紙幣が前記出金紙幣識別部を通じて連続して設定枚数分再識別可能紙幣と判断されたとき前記紙幣繰り出し部を正常繰り出し動作から紙幣繰り出し姿勢矯正動作に切り換え、この矯正動作の後に正常繰り出し動作に復帰させる制御部とを具有することを特徴とする。
【００１５】
請求項２に記載の発明は、出金紙幣を集積状態で収納する複数の金種別出金紙幣収納部と、各金種別出金紙幣収納部ごとに設けられ金種別出金紙幣収納部内の紙幣を１枚ずつ分離して繰り出す紙幣繰り出し部と、各金種別繰り出し部により繰り出された紙幣を搬送する搬送部と、この搬送部の途中に設けられ出金正規紙幣と出金不正規紙幣との識別を行う出金紙幣識別部と、この識別部による識別結果に基づいて出金正規紙幣と判断された紙幣を前記搬送部から受収する出金一時保留部と、前記出金紙幣識別部による識別結果に基づいて出金不正規紙幣と判断された紙幣を受収する出金不正規紙幣受収部とを有し、前記出金一時保留部に所望の出金正規紙幣が一時保留されたことを条件に出金一時保留紙幣の機外への取り出しを可能とするものにおいて、出金正規紙幣と出金不正規紙幣との識別を行うとともに出金不正規紙幣について出金に供すべき再識別可能紙幣と出金に供し得ない出金リジェクト紙幣との識別を可能とする出金紙幣識別部と、この出金紙幣識別部の識別結果に基づき出金正規紙幣、再識別可能紙幣、出金リジェクト紙幣を区分けして搬送する搬送部と、この搬送部を区分けされて搬送される出金リジェクト紙幣を受収する出金リジェクト紙幣受収部と、前記金種別出金紙幣収納部の近傍に設けられ前記搬送部を区分け搬送される再識別可能紙幣を一時保留するとともに所定時期にこの一時保留紙幣を出金紙幣収納部へ収納する金種別再識別可能紙幣一時保留部と、前記出金紙幣識別部を通過した出金正規紙幣を前記出金一時保留部へ搬送する第１搬送路、前記出金紙幣識別部を通過した出金リジェクト紙幣を前記出金リジェクト紙幣受収部へ搬送する第２搬送路、および前記出金紙幣識別部を通過した再識別可能紙幣を繰り出された金種別出金紙幣収納部に対応する再識別可能紙幣一時保留部へ搬送する第３搬送路を有する搬送部と、正回転により前記金種別出金紙幣収納部内の紙幣を繰り出す正常繰り出し動作、および繰り出し予定紙幣の繰り出し姿勢を矯正すべく一時的な逆回転により紙幣繰り出し姿勢矯正動作を行う金種別紙幣繰り出し部と、前記金種別出金紙幣収納部から繰り出される紙幣が前記紙幣識別部を通じて連続して設定枚数分再識別可能紙幣と判断されたとき前記金種別紙幣繰り出し部を正常繰り出し動作から紙幣繰り出し姿勢矯正動作に切り換え、この矯正動作の後に正常繰り出し動作に復帰させる制御部とを具有することを特徴とする。
【００１６】
これら請求項１および２により、出金紙幣識別部は出金正規紙幣と出金不正規紙幣の識別のみならず、出金不正規紙幣について出金に供し得べき再識別可能紙幣と出金に供し得ない出金リジェクト紙幣との識別を行い、再識別可能紙幣は出金リジェクト紙幣を受収する出金不正規紙幣受収部とは別の出金に再使用が可能となる出金不正規紙幣受収部（再識別可能紙幣一時保留部）へ送ることで出金紙幣として使用可能となし、また繰り出される紙幣が出金紙幣識別部を通じて連続して設定枚数分（例えば１０枚）が再識別可能紙幣と判断されたときには紙幣繰り出し部を正常繰り出し動作から紙幣繰り出し姿勢矯正動作に切り換え、この矯正動作ののちに正常繰り出し動作に復帰させるので、機械のエラーダウンの機会を大幅に減少させることができる。
【００１７】
請求項３に記載の発明は、機体の前面上部域に形成された出金口部と、機体の背面上部域に形成され前記出金口部からの取り忘れ紙幣を回収する回収口部と、前記出金口部の背部近傍に形成された出金一時保留部と、機体の下部域に配設され出金紙幣を集積状態で収納する複数の金種別出金紙幣収納部と、各金種別出金紙幣収納部ごとにそれぞれ設けられ当該金種別出金紙幣収納部内の紙幣を１枚ずつ分離して繰り出す金種別紙幣繰り出し部と、これら繰り出し部により繰り出された紙幣を搬送するとともに途中に出金紙幣識別部を有し該出金紙幣識別部を通過した紙幣を上方へ搬送する繰り出し紙幣搬送路、前記出金口部と回収口部とを接続すべく前後方向に設けられ前記出金紙幣識別部による識別結果に基づき出金正規紙幣と判断された紙幣の出金一時保留部への送り込みと出金一時保留部に集積された出金すべき集積紙幣の前記出金口部または回収口部への集積状態での搬送を行う一括搬送路を有する搬送部と、前記出金紙幣識別部による識別結果に基づいて出金不正規紙幣と判断されて前記搬送部を分岐搬送される紙幣を受収する出金不正規紙幣受収部とを有するものにおいて、出金正規紙幣と出金不正規紙幣の識別とを行うとともに、出金不正規紙幣については出金に供すべき再識別可能紙幣と出金に供し得ない出金リジェクト紙幣の識別を可能とした出金紙幣識別部と、前記回収口部の前部近傍に形成された出金リジェクト紙幣受収部と、機体の背面下部域に形成され上部に紙幣の繰り出し部および回収部が設けられた補充・回収紙幣収納部と、この補充・回収紙幣収納部の前部に向けて配設された複数の金種別出金紙幣収納部と、各金種別出金紙幣収納部に対応してその上部に設けられ各金種別出金紙幣収納部へ補充すべき各金種別出金紙幣を一時保留する各金種別一時保留部と、前記各金種別出金紙幣収納部に対応してその下部に設けられた各金種別紙幣繰り出し部と、前記補充・回収紙幣収納部から繰り出される紙幣を搬送しその搬送途上には補充紙幣識別部と補充切換部とが設けられ、前記補充・回収紙幣収納部から繰り出される紙幣を前記補充紙幣識別部による識別結果に基づき補充切換部で金種別紙幣と補充リジェクト紙幣とに区分けし、金種別紙幣はそれぞれ対応する各金種別一時保留部へ区分けして送る補充紙幣搬送路と、この補充紙幣搬送路を通じて送られる補充リジェクト紙幣を収納する補充リジェクト紙幣収納部と、前記繰り出し紙幣搬送路の末端であって搬送紙幣のうち出金正規紙幣は前記出金一時保留部側へ、出金不正規紙幣は前記回収口部側へ搬送方向を切り換える第１切換部と、前記一括搬送路の前記第１切換部と回収口部との間に設けられ前記出金紙幣識別部を通じて再識別可能と判断された紙幣を分岐する第２切換部と、一括搬送路の第２切換部より回収口部側の位置に設けられ出金リジェクト紙幣の搬送方向を出金リジェクト紙幣受収部側へ切り換える第３切換部と、前記第２切換部と前記補充紙幣識別部より後流で補充切換部より上流の補充紙幣搬送路域とを接続する接続搬送路と、正回転により前記金種別出金紙幣収納部内の紙幣を繰り出す正常繰り出し動作、および繰り出し予定紙幣の繰り出し姿勢を矯正すべく一時的な逆回転により紙幣の繰り出し姿勢矯正動作を行う金種別紙幣繰り出し部と、前記金種別出金紙幣収納部から繰り出される紙幣が前記出金紙幣識別部を通じて連続して設定枚数分再識別可能紙幣と判断されたとき前記金種別紙幣繰り出し部を正常繰り出し動作から紙幣繰り出し姿勢矯正動作に切り換え、この矯正動作の後に正常繰り出し動作に復帰させる制御部とを具有することを特徴とする。
【００１８】
これによれば、前記請求項１および２に記載の発明による効果に加え、補充・回収紙幣収納部を通じて機内への紙幣の補充と機内からの紙幣の回収とを行うことができ、また機体の背面から回収口部、補充・回収紙幣収納部、出金リジェクト紙幣収納部の各操作を行うことができるので、機械の操作性を一層良くすることができる。
【００１９】
【発明の実施の形態】
以下、本発明による紙幣出金処理機の一実施形態を図面を参照して説明する。図１は本発明による紙幣出金処理機の一実施形態の概要を示す右側面からみた略示断面図（左端面が前面、右端面が背面）であり、特に紙幣の搬送系を示している。
【００２０】
機体１の内部には、図１および図２に略示するように出金用の２金種の紙幣を各別に収納する出金紙幣収納部２１，２２（本実施形態では２１が千円紙幣用、２２が万円紙幣用）が配設され、機体１の内部後方には補充、回収用の補充・回収紙幣収納部３が配設されており、この補充・回収紙幣収納部３は機体１内へ補充すべき補充紙幣の装填と、機体１内から繰り出される回収紙幣の受収集積を可能とし、この収納部３内への紙幣の装填、あるいはこの収納部３からの回収紙幣の取り出しを可能とするため、この収納部３の背面（図１の右側）は開口部３ａとされ、この開口部３ａを開閉する扉４が設けられている。そしてこの機体１の背面の扉４を開けることにより人手により紙幣の補充操作または回収操作が可能とされている。
【００２１】
上記出金紙幣収納部２１，２２の上部には一時保留部２ａ１，２ａ２が設けられている。
【００２２】
また上記補充・回収紙幣収納部３の上方位置には回収収納部５ａと出金リジェクト紙幣収納部５ｂが上下に配設され、各収納部５ａ，５ｂの間には仕切板６が上下動可能に設けられており、この仕切板６の水平姿勢のままで上下位置の切り替えによりその上部または下部に紙幣を区分けして受け入れるようになっている。すなわち図２において、回収収納部５ａに紙幣を集積するときは仕切板６を水平姿勢を保持したまま一点鎖線図示位置に下降位置させて紙幣を受収集積させる。また出金リジェクト紙幣収納部５ｂに紙幣を受収するときは仕切板６を水平姿勢を保持したまま二点鎖線図示位置に上昇位置させて出金リジェクト紙幣の受収を行う。
【００２３】
上記各収納部５ａ，５ｂへの紙幣の受収が終了すると、仕切板６は図１の実線図示位置へ復帰する。そして各収納部５ａ，５ｂの機体背面側は開口部５’ａ（請求項３の回収口部），５’ｂとされ、この部分には支軸７ｃを中心として水平姿勢となる扉７ａ，７ｂが設けられており、この背面の扉７ａ，７ｂを開けることにより人手により各収納部５ａ，５ｂ内の紙幣の回収ができるようになっている。
【００２４】
前記機体１の前面１ａの上部位置には出金口部８が開口され、その内部直近位置には出金時に紙幣を集積して一時保留する紙幣一時保留部９が設けられている。
【００２５】
前記機体１内には、各部間で紙幣を選択的に搬送するための搬送路１０ａ〜１０ｈ（図２参照）が配設されている。
【００２６】
上記搬送路のうち、補充・回収紙幣収納部３から前記各出金紙幣収納部２１，２２へ紙幣の補充を行うための搬送路１０ａの途中には、当該紙幣の金種等を識別する補充紙幣識別部１１が設けられ、この搬送路１０ａの基端側には補充・回収紙幣収納部３から紙幣を１枚ずつ繰り出す補充繰り出し部１２（キッカローラ、フィードローラ等で構成され、後述の繰り出し部１５１，１５２と同じ構成）が設けられている。
【００２７】
そして補充・回収紙幣収納部３から繰り出される補充紙幣は、補充紙幣識別部１１を通り、搬送路１０ａをさらに図において左方へ進み、その左端位置で下方へ向かい、紙幣を分岐する搬送路１０ｂへ送られる。この搬送路１０ｂはその入口部に切換部Ｇ１、その後流位置に切換部Ｇ２，Ｇ３（請求項３における補充切換部は、切換部Ｇ１，Ｇ２，Ｇ３と対応するソレノイドＳＤ１，ＳＤ２，ＳＤ３が相当する）が配設されている。
【００２８】
そして補充紙幣のうち補充紙幣識別部１１による識別の結果、正常な千円紙幣と識別されると、切換部Ｇ１の切り換りにより一時保留部２ａ１へ、正常な万円紙幣と識別されると切換部Ｇ１，Ｇ２を通じて一時保留部２ａ２へ、それ以外の紙幣、すなわち補充リジェクト紙幣は切換部Ｇ１，Ｇ２，Ｇ３を通過して後述する補充リジェクトボックス１４へ送られる。
【００２９】
前記補充・回収紙幣収納部３は内部に昇降可能なステージ１３を備え、この補充・回収紙幣収納部３の直下位置には機体１外へ引き出し可能な補充リジェクトボックス１４が設けられている。
【００３０】
この補充リジェクトボックス１４は、通常は機体１内に挿入した状態でロックされ、引き出し不能とされている。そして前記ステージ１３が前記補充・回収紙幣収納部３の収納空間の最下位置まで降下したときのみ前記ロックが解除され、手動で引き出し可能とされている。
【００３１】
一方、図１および図２において出金紙幣収納部２１，２２から繰り出し部１５１，１５２により繰り出される出金紙幣を前記紙幣一時保留部９へ搬送する搬送路１０ｃ（出金搬送路）の途中には、当該紙幣の識別および再識別可否の判定を行う出金紙幣識別部１６が設けられている。またこの出金搬送路１０ｃの終端側は切換部Ｇ４（請求項３における第１切換部は、切換部Ｇ４とソレノイドＳＤ４が相当する）により出金口側搬送路１０ｄと回収側搬送路１０ｅとに分岐されている。
【００３２】
このうち出金口側搬送路１０ｄは、出金搬送路１０ｃとの切換部Ｇ４から前記出金口部８へ向かうと共に紙幣を切換部Ｇ４側から出金口部８へ、また出金口部８側から切換部Ｇ４側への両方向に搬送可能とされている。また回収側搬送路１０ｅは出金搬送路１０ｃとの切換部Ｇ４および切換部としての上昇位置の仕切板６（請求項３の第３切換部は仕切板６とモータＭ８が相当する）から出金リジェクト紙幣収納部５ｂへ通じ、その回収搬送路１０ｅの途中の切換部Ｇ５（請求項３における第２切換部は切換部Ｇ５とソレノイドＳＤ５が相当する）で分岐する搬送路１０ｆ（請求項３における接続搬送路）は前記搬送路１０ａの補充紙幣識別部１１より後流で切換部Ｇ１より上流の搬送域に合流する形で接続されている。
【００３３】
さらに前記回収側搬送路１０ｅの切換部Ｇ４とＧ５との中間点の合流部１９と前記補充搬送路１０ａの切換部Ｇ６との間は搬送路１０ｇ（無計数モード用接続搬送路）により接続されている。
【００３４】
なお、図１には出金搬送路１０ｃの一部として搬送路１０ｈが設けられている。この搬送路１０ｈは、出金搬送路１０ｃを構成しているベルト対群のうち末端のベルト対で構成される搬送路域を指称し、出金紙幣識別部１６域のベルト対の出口部に臨む始端から切換部Ｇ４に至る末端までをいう。
【００３５】
図示の実施形態は紙幣を上下方向に集積するようにした場合を示しており、その紙幣一時保留部９は、一時保留空間の上部に配設される上部搬送体２１と、下部に配設される下部搬送体２２と、紙幣の一時保留時には集積位置におかれ集積終了時に前記上部搬送体２１に向けて上昇する受台２３とを有し、上部搬送体２１は、前記出金口側搬送路１０ｄと搬送路１０ｈと回収用の搬送路１０ｅとの駆動を司るモータＭ５（図３示）により駆動され、下部搬送体２２は一時保留紙幣を集積状態で搬送する際に上昇したとき前記駆動系からの回転を受けて従動回転するようになっている。
【００３６】
モータＭ５が正転すると、図１において出金口側搬送路１０ｄ（上部搬送体２１および駆動力が伝達された状態の下部搬送体２２で構成）は紙幣を図において左方へ送る向きに、また搬送路１０ｈは紙幣を上方へ送る向きに、搬送路１０ｅはワンウェイクラッチを介して紙幣を図において右方へ送る向きにそれぞれ駆動される。
【００３７】
前記モータＭ５の逆転時には、出金口側搬送路１０ｄは紙幣を図において右方へ送る向きに、また搬送路１０ｈは紙幣を下方へ送る向き（このときは搬送路１０ｈに紙幣は存在しない）に、搬送路１０ｅは別のワンウェイクラッチを介して紙幣を図において右方へ送る向きに駆動される。
【００３８】
図３は紙幣出金処理機全体の制御ブロック図を示すもので、制御部１００を有し、この制御部１００には、機体１の前面の操作部１０１からの入力信号、上位機からの指令信号Ｐｘが入力されるようになっており、この指令信号Ｐｘが制御部１００へ入力されることを条件にこの処理機の諸操作が可能となる。
【００３９】
前記制御部１００には釦スイッチＤ１１〜Ｄ３１からの信号が入力されるようになっている。この釦スイッチＤ１１〜Ｄ３１は、図４示の機体１の背面に設けられる単位回収釦Ｄ１、補充釦Ｄ２、回収釦Ｄ３の釦操作に対応する単位回収モード信号、補充モード信号、回収モード信号が入力されるもので、上位機からの指令信号Ｐｘ（単位回収モード、補充モード、回収モードの各モードにより異なる各指令信号）が入力されていることを条件にその信号入力が可能となる。なお補充モードとは別に無計数補充モードがあるが、これについては作用の説明時に述べることとする。
【００４０】
上記制御部１００により制御される表示ランプＬ１〜Ｌ４が設けられている。これらは図４において扉７ａの上縁側部に単位回収釦Ｄ１、この単位回収釦Ｄ１の近傍下部で扉７ａの側部に表示ランプＬ１、この表示ランプＬ１の下部で扉７ｂの側部に表示ランプＬ２が配設される。
【００４１】
上記表示ランプＬ１は、出金取り忘れ紙幣（出金紙幣）が一部突出した状態で出金口部８へ投出保持されるが、顧客が取り出さず、その結果逆送されて回収部５ａに取り込まれる場合、あるいは単位回収紙幣が１枚ずつ連続して直接回収部５ａへ送られる場合に点灯し、紙幣が取り出されることにより消灯する。上記表示ランプＬ１の点灯は、収納部５ａにある紙幣有無検知スイッチ（図３のセンサＳｎのうちの１個）が紙幣有を検知することによる。
【００４２】
前記表示ランプＬ２は、出金モード時や回収モード時におけるリジェクト紙幣（出金リジェクト紙幣、回収リジェクト紙幣）が出金リジェクト紙幣収納部５ｂに存在するときに点滅し、出金リジェクト紙幣収納部５ｂのリジェクト紙幣が満杯になると点灯する。上記表示ランプＬ２の点滅は、出金リジェクト紙幣収納部５ｂ内にある紙幣有無検知スイッチ（図９のセンサＳｎのうちの１個）が紙幣有を検知することによる。また表示ランプＬ２の点灯は、リジェクト紙幣フルセンサ（図３のセンサＳｎのうちの１個）のフル検知による。そして出金リジェクト紙幣収納部５ｂからすべてのリジェクト紙幣が取り出されると、表示ランプＬ２は点滅または点灯状態から消灯する。
【００４３】
前記扉４の側部には、補充釦Ｄ２、補充・回収ランプＬ３、回収釦Ｄ３が配設され、扉４の下部に位置する補充リジェクトボックス１４の側部には補充リジェクトランプＬ４が配設されている。
【００４４】
前記補充・回収ランプＬ３は、補充または回収の指令信号Ｐｘの入力により点滅（補充は長い点滅、回収は短い点滅）し、補充釦Ｄ２や回収釦Ｄ３の操作に基づく補充モード時や回収モード時に点灯し、そのモードの終了で消灯する。
【００４５】
補充リジェクトランプＬ４は、補充リジェクトボックス１４に補充リジェクト紙幣が存在する場合（図３のセンサＳｎの１個である補充リジェクト紙幣有無検知スイッチが紙幣有を検知したとき）に点滅し、補充リジェクトボックス１４の補充リジェクト紙幣が満杯（図３のセンサＳｎの１個である補充リジェクト紙幣フルセンサのフル検知による）になると点灯する。また補充リジェクトボックス１４を引き出して補充リジェクト紙幣をすべて取り出した後、再セットすると補充リジェクトランプＬ４は消灯する。
【００４６】
再び図３において、制御部１００には、補充紙幣識別部１１、出金紙幣識別部１６、搬送路センサ群Ｓｍ、位置検知センサ群Ｓｎ（紙幣の有無、量の検知を含む）が接続されている。
【００４７】
またクラッチＣ３（モータＭ１の駆動力を補充繰り出し部１２へ伝達する作用を行う）、モータＭ１は補充繰り出し部１２、搬送路１０ａおよび１０ｂの各一部の駆動用であり、搬送路１０ｂは切換部Ｇ１から一時保留部２ａ１への搬送路、切換部Ｇ１から切換部Ｇ２への搬送路、切換部Ｇ２から一時保留部２ａ２への搬送路、切換部Ｇ２から切換部Ｇ３への搬送路、切換部Ｇ３から補充・回収紙幣収納部３への搬送路、切換部Ｇ３から補充リジェクトボックス１４への搬送路である。なお切換部Ｇ３から補充・回収紙幣収納部３への搬送路の末端は、補充・回収紙幣収納部３への繰り込みベルト，プーリー，ローラが対向配置されるが、この紙幣繰り込みベルトとローラとは補充紙幣繰り出し時には図示しないガイドで被覆されて紙幣とは摩擦接触しないよう考慮されている（このガイドを進退移動させるソレノイドもここでは図示は省略してある）。モータＭ２（搬送路１０ａおよび１０ｂの各残存部分、搬送路１０ｆ、搬送路１０ｇの駆動用）、モータＭ３（一時保留部２ａ１、２ａ２の底板開閉用）、モータＭ４（繰り出し部１５１、１５２、搬送路１０ｈを除く搬送路１０ｃの駆動用）、モータＭ５（搬送路１０ｈ、１０ｅ、１０ｄ、上部搬送体２１、下部搬送体２２の駆動用）、モータＭ６（ステージ１３の移動用）、モータＭ７（受台２３の移動用）、モータＭ８（仕切板６の上下動用）、ソレノイドＳＤ１〜ＳＤ６（切換部Ｇ１〜Ｇ６の切り換え用）がそれぞれ接続されている。なおこれらの制御と各部の駆動については動作説明時に併せて説明する。
【００４８】
図５はクラッチに係る部分の説明図で、モータＭ４の駆動時にクラッチＣ１、Ｃ２を通じて繰り出し部１５１、１５２の一方が選択的に駆動される。そのとき搬送路１０ｃも駆動状態のままにおかれる。
【００４９】
停止している一方の繰り出し部（１５１または１５２）と回転している搬送路１０ｃとが摩擦接触しないよう考慮されており、その部分を図５に示している。
【００５０】
この図５において、繰り出し部１５１（１５２）を構成するキッカローラ１５１−１（１５２−１）、フィードローラ１５１−２（１５２−２）、ゲートローラ１５１−３（１５２−３）が設けられ、このキッカローラ１５１−１（１５２−１）とフィードローラ１５１−２（１５２−２）はクラッチＣ１（Ｃ２）が通電されると駆動され、非通電になると定位置で停止される。前述のクラッチＣ３も全く同じ働きをする。
【００５１】
なお出金に使用可能な再識別可能紙幣（斜行紙幣等）の繰り出しが連続して例えば１０枚発生したとき、その再識別可能紙幣を一時保留部２ａ１（２ａ２）へ送るとともにクラッチＣ１（Ｃ２）を断とし、キッカローラ１５１−１（１５２−１）とフィードローラ１５１−２（１５２−２）を定位置で停止させる。そのときモータＭ４は駆動しており、搬送路１０ｃは駆動している。
【００５２】
次に搬送路１０ｃの紙幣がすべて搬送路１０ａ側に送り出された時点でモータＭ４が停止し、次いでモータＭ４を所定時間逆転（本発明でいう紙幣繰り出し矯正動作）させる。
【００５３】
この動作により斜行紙幣の後縁が出金紙幣収納部２１（２２）の後部壁（紙幣繰り出し方向に対し直角）に当接し、紙幣後縁が前記後部壁にそわされる。この出金紙幣収納部２１（２２）の後部壁は、同収納部２１（２２）の前部壁（フィードローラ１５１−２（１５２−２）、ゲートローラ１５１−３（１５２−３）の配置側の壁）と平行であり、紙幣前縁は前記前部壁およびフィードローラ１５１−２（１５２−２）、ゲートローラ１５１−３（１５２−３）に対しても正規の繰り出し姿勢（紙幣繰り出し方向に対し直角姿勢）となる。
【００５４】
次にモータＭ４が正転し、クラッチＣ１（Ｃ２）に通電する。その結果、キッカローラ１５１−１（１５２−１）、フィードローラ１５１−２（１５２−２）、ゲートローラ１５１−３（１５２−３）は正常繰り出し動作に復帰する。
【００５５】
このキッカローラ１５１−１（１５２−１）、フィードローラ１５１−２（１５２−２）、ゲートローラ１５１−３（１５２−３）の正常繰り出し動作と搬送路１０ｃの正常な搬送動作とにより、出金に使用が可能な再識別可能紙幣と判断されていた紙幣は以後正規の繰り出し姿勢となって繰り出されるので、出金正規紙幣と判断されて紙幣一時保留部９へ送られることになる。
【００５６】
なお、キッカローラ１５１−１（１５２−１）、フィードローラ１５１−２（１５２−２）、ゲートローラ１５１−３（１５２−３）が前述の正常繰り出し動作に復帰しても出金紙幣識別部１６が引き続き搬送紙幣を引き続き出金不正規紙幣のうちの再識別可能紙幣と識別し、その紙幣が再度１０枚発生するとそれらの紙幣は、繰り出される出金紙幣収納部２１（２２）に対応する一時保留部２ａ１（２ａ２）へ一時保留させるとともに機械をダウンさせる。なおゲートローラ１５１−３（１５２−３）は、モータＭ４の正転，逆転に拘わらず強制駆動されることはなく、軸にワンウェイクラッチを介して設けられ、常時紙幣繰り出し方向へは回転せず、逆方向へは自由回転するようにしてある。
【００５７】
フィードローラ１５１−２（１５２−２）が固定される軸１５１−４（１５２−４）には、フィード１５１−２（１５２−２）の左右外側に位置して一対のプーリー１０ｃ−ｃ，１０ｃ−ｃが軸受１０ｃ−ｃ１，１０ｃ−ｃ１を介して回転自在に支持される。そして搬送路１０ｃの左右一対のベルト１０ｃ−ｂ１，１０ｃ−ｂ１が前記一対のプーリー１０ｃ−ｃ，１０ｃ−ｃに掛回されている。
【００５８】
その結果、クラッチＣ１（Ｃ２）の断により繰り出し部１５１，１５２が停止していても、自由回転軸受１０ｃ−ｃ１，１０ｃ−ｃ１を介して摩擦接触することなく一対のプーリー１０ｃ−ｃ、１０ｃ−ｃおよび一対のベルト１０ｃ−ｂ１，１０ｃ−ｂ１はモータＭ４が回転している限り回転駆動を続けることができるのである。
【００５９】
本発明における「紙幣繰り出し姿勢矯正動作」は、本実施形態では正常繰り出し動作停止後の「所定時間の逆転回転」を指す。しかしこの形態に限られるものではなく、例えば「紙幣繰り出し姿勢矯正動作」の他の例として「所定時間の逆転回転、その後の所定時間の正転回転」を行わせるケースが挙げられる。特に「逆転回転後の所定時間の正転回転」によって紙幣を正規の姿勢で繰り出し位置に位置させ、この状態から繰り出しのための正転回転、すなわち正常繰り出し動作に移るようにしてもよい。
【００６０】
また本実施形態では、「紙幣繰り出し姿勢矯正動作」の後の「正常繰り出し動作」において、再度連続して設定枚数分再識別可能紙幣と判断されたときに機械をダウンさせているが、もう一度機会を与え、三度目に連続して設定枚数分再識別可能紙幣と判断されたときに機械をダウンさせるようにしてもよい。また逆に２回目の連続して再識別可能紙幣と判断される所定枚数を１回目の設定枚数（例えば１０枚）より少ない枚数（例えば５枚）を設定するようにしてもよい。
【００６１】
再識別可能紙幣と判断される紙幣が連続して設定枚数分という場合の設定枚数としては、再識別可能紙幣の間に出金リジェクト紙幣が存在する場合にその紙幣も１枚分として扱い、それも連続した設定枚数分として扱う場合、あるいは出金リジェクト紙幣を加算せず、前後の再識別可能紙幣の合計が設定枚数分に達すると「紙幣繰り出し姿勢矯正動作」に移行する場合、出金リジェクト紙幣の次から新たに設定枚数分（例えば１０枚）が連続したとき「紙幣繰り出し姿勢矯正動作」に移行する場合のいずれであってもよい。
【００６２】
また前記設定枚数分の表現上の枚数とは、キッカローラやフィードローラの１回転で紙幣１枚を繰り出す構成とし、キッカローラやフィードローラの回転を基準とするようにしてもよく、設定枚数分とはこれらの所定回転数に基づく設定枚数分を含むものとする。
【００６３】
次に上記実施形態の全体の作用について説明する。
【００６４】
Ａ）補充モード
図３において、上位機から補充モードに関する指令信号Ｐｘが制御部１００に入力されると、補充・回収ランプＬ３（図４示）が「長い間隔の点滅」を繰り返し、補充に関する指令信号Ｐｘの入力を機械管理者または機械作業者（顧客ではない。顧客は機体１の前面側でのみ操作可。以下これらを機械管理者等という）に知らせる。
【００６５】
なお補充・回収ランプＬ３が「短い間隔の点滅」をしている場合は、上位機から回収指令信号Ｐｘが制御部１００に入力されたことを機械管理者等に知らせ、補充指令信号Ｐｘと区別する。
【００６６】
補充リジェクトボックス１４は、そのときステージ１３が最下降位置にあるので自由に引き出すことができる。補充リジェクト紙幣が該ボックス１４内に存在する場合はその補充リジェクト紙幣を該ボックス１４から抜き出し、空となった補充リジェクトボックス１４を機体１に装着する。機械管理者等は中央精算所へ行き、補充リジェクト紙幣があるときはそれを精算所へ渡すとともに、補充紙幣として千円紙幣、万円紙幣を各３００枚ずつ受けとる。
【００６７】
その紙幣を機体１まで持ち来たし、機体１の背面の扉４を開け、ステージ１３上へ計６００枚の紙幣を揃えて積載する。
【００６８】
次に補充釦Ｄ２を押すと図３に示すスイッチＤ２１がＯＮとなり、制御部１００を通じてモータＭ６が駆動され、ステージ１３が上昇して前記積載した重積紙幣の上面が補充繰り出し部１２に押圧され、その押圧状態が位置検知センサ群Ｓｎで検知されるとモータＭ６が一時停止するとともにモータＭ１、Ｍ２が共に回転する。
【００６９】
そのとき未だクラッチＣ３は非励磁（一定時間経過後に励磁）であり、補充繰り出し部１２は停止しているが、この補充繰り出し部１２以降の搬送路１０ａおよび１０ｂ、１０ｆ、１０ｇはモータＭ１，Ｍ２の回転で駆動される。また補充紙幣識別部１１も識別可能となる。
【００７０】
一方、表示ランプＬ３が点灯状態となり、補充動作中であることを知らせる。また搬送路センサ群Ｓｍ、位置検知センサ群Ｓｎが作動可能な状態となる。そして切換部Ｇ１、Ｇ２、Ｇ３に対応するソレノイドＳＤ１、ＳＤ２、ＳＤ３が補充紙幣識別部１１の識別信号、搬送路センサ群Ｓｍに基づいてＯＮ、ＯＦＦの切り替えが可能となる。
【００７１】
そのときクラッチＣ３がＯＮとなり、補充繰り出し部１２が駆動され、紙幣の繰り出しが開始される。この繰り出しは、繰り出された紙幣が補充紙幣識別部１１で識別される都度、次の紙幣の繰り出しが行われるピッチとスピードとで繰り出される。
【００７２】
また補充繰り出し部１２で紙幣が繰り出されることに応じて位置検知センサ群Ｓｎを通じてモータＭ６が間欠駆動し、ステージ１３が所定量ずづ上昇して重積紙幣が所定圧で補充繰り出し部１２へ押し付けられ、紙幣の連続的な１枚繰り出しが続けられる。
【００７３】
こうして繰り出された紙幣が補充紙幣識別部１１で千円紙幣と識別されると千円用の一時保留部２ａ１へ、万円紙幣と識別されると万円用の一時保留部２ａ２へ水平状態に集積され、それ以外の紙幣や２枚重なりの紙幣等のリジェクト紙幣は補充リジェクト紙幣として補充リジェクトボックス１４内へ水平状態で送り込まれて集積される。例えば補充紙幣識別部１１で千円紙幣がまず１００枚識別されるとクラッチＣ３が非励磁となり、補充繰り出し部１２が一時停止し、モータＭ６も一時停止状態となる。
【００７４】
一方、、搬送路１０ａ、１０ｂ内の紙幣がその識別結果に応じた一時保留部２ａ１、２ａ２、補充リジェクトボックス１４に受収される時間を見越してモータＭ１、Ｍ２が停止する。
【００７５】
次いでモータＭ３が所定時間回転し、一時保留部２ａ１、２ａ２の一対の底板２ａ１１、２ａ１１、２ａ２１、２ａ２１が下方へ観音開きされ、各集積一時保留紙幣は各出金紙幣収納部２１、２２へ集積状態の底部上に積まれる。また各出金紙幣収納部２１、２２へ収納された紙幣枚数は制御部１００の記憶部に記憶される。
【００７６】
モータＭ３の継続回転により一対の底板２ａ１１、２ａ１１、２ａ２１、２ａ２１が閉じ、モータＭ３が停止する。
【００７７】
その直後にモータＭ１、Ｍ２の回転とクラッチＣ３のＯＮ（励磁）とにより再び補充紙幣の繰り出し、補充紙幣識別部１１による識別、千円紙幣および万円紙幣の一時保留部２ａ１、２ａ２への一時保留集積、補充リジェクト紙幣の補充リジェクトボックス１４への収納が行われる。
【００７８】
再び一方の一時保留部２ａ１または２ａ２が１００枚になると、前回と同様に補充繰り出し部１２がクラッチＣ３のＯＦＦ（非励磁）で停止し、その後モータＭ１，Ｍ２が停止する。次いでモータＭ３の回転で一対の底板２ａ１１、２ａ１１、２ａ２１、２ａ２１が開き、一時保留紙幣は各出金紙幣収納部２１、２２へ収納される。
【００７９】
そのとき各金種用の一時保留枚数は制御部１００の記憶部へ加算され、各出金紙幣収納部２１，２２の各収納枚数合計値として前記記憶部に記憶される。
【００８０】
同様にして補充・回収紙幣収納部１３内のすべての紙幣を出金紙幣収納部２１，２２、補充リジェクトボックス１４へ収納する。その収納が終了すると、補充・回収ランプＬ３は消灯し、補充モードは終了する。
【００８１】
また補充モードの動作途中で補充リジェクトボックス１４内の補充リジェクト紙幣の量が満杯になったときは、補充リジェクトランプＬ４は点滅から点灯に移行する。
【００８２】
一方、クラッチＣ３の非励磁、搬送路１０ａ、１０ｂ内の紙幣が各一時保留部２１、２２、補充リジェクトボックス１４へ収納（満杯時であっても数枚の紙幣の収納は可能に設定）する時間経過後のモータＭ１、Ｍ２の停止、モータＭ６の逆転によるステージ１３の最下降位置への移動がそれぞれに行われ、補充リジェクトボックス１４を引き抜いて補充リジェクト紙幣を取り出し、空になった補充リジェクトボックス１４を再度機体１にセットする。
【００８３】
すると今度は補充釦Ｄ２を押さずともステージ１３が上昇し、補充釦Ｄ２の押圧がなされた場合と同様に補充モードが続行され、前述の動作を繰り返してステージ１３上のすべての紙幣が繰り込まれて補充モードが終了する。
【００８４】
Ｂ）出金モード
まず顧客が図３における操作部１０１により出金額の入力、その額と受け取る権利者であることを証する証書の読み取りによる入力がなされる。
【００８５】
この操作部１０１からの入力と上位機からの出金指令信号Ｐｘとにより各出金紙幣収納部２１、２２から紙幣の出金繰り出しが行われる。
【００８６】
すなわちモータＭ１，Ｍ２，Ｍ４，Ｍ５（高速回転）が駆動され、搬送路１０ａ、１０ｂ、１０ｃ（１０ｈを含む）、１０ｄ、１０ｅ、１０ｆ、１０ｇが駆動される。またモータＭ３は停止していて底板２ａ１１、２ａ１１、２ａ２１、２ａ２１は閉じた状態におかれている。モータＭ８は所定時間駆動したのち停止し、仕切板６は図２の実線図示位置から二点鎖線図示位置まで上昇して停止し、出金リジェクト紙幣の受け入れに備える。
【００８７】
なおモータＭ６は、補充モードと回収モードで使用され、出金モード時には使われないので停止状態のままである。また出金紙幣識別部１６、搬送路検知センサ群Ｓｍ、位置検知センサ群Ｓｎ、切換部Ｇ１〜Ｇ６を作動するソレノイドＳＤ１〜ＳＤ６も作動可能な状態になる。
【００８８】
出金紙幣が２金種の両方である場合は、出金紙幣収納部２１の方から、また１金種の場合はその金種の出金紙幣収納部２１または２２の紙幣を出金する。
【００８９】
なお繰り出し部１５１、１５２は、キッカローラ１５１−１、１５２−１の１回転で１枚の紙幣が繰り出される関係に設定されている。
【００９０】
具体例として、出金額が１５万８千円と仮定すると、まずクラッチＣ１が励磁され、繰り出し部１５１が駆動されて千円紙幣８千円分、すなわちキッカローラ１５１−１が８回転分駆動される。その間に繰り出された紙幣は出金紙幣識別部１６で識別され、千円紙幣と識別された紙幣は搬送路１０ｄから紙幣一時保留部９へ水平姿勢で集積される。一方、出金紙幣識別部１６で千円紙幣と識別された時点で制御部１００の記憶部の千円紙幣収納枚数合計値から１枚分減算される。その時の受台２３は下降した位置にある。
【００９１】
一方、出金紙幣識別部１６で出金に使用し得ないリジェクト紙幣と判断された出金リジェクト紙幣は、搬送路１０ｅから出金リジェクト紙幣収納部５ｂへ送り込まれて水平状態に集積される。
【００９２】
また出金紙幣識別部１６で不具合い紙幣すなわち再識別可能紙幣（斜行紙幣、異常接近紙幣等と判断されて再繰り出し可能と判断された紙幣）と判断された紙幣は、搬送路１０ｅから搬送路１０ｆへ分岐され、搬送路１０ａ、１０ｂを通って一時保留部２ａ１へ送られる。そしてキッカローラ１５１−１の８回転でクラッチＣ１を一旦停止させる。出金紙幣識別部１６で出金リジェクト紙幣あるいは不具合紙幣（再識別可能紙幣）と判断された紙幣の場合は、制御部１００の記憶部の千円紙幣枚数値から減算はされない。
【００９３】
上記のキッカローラ１５１−１の８回転で正規の千円紙幣８枚が出金紙幣識別部１６で識別され、紙幣一時保留部９へ送られる場合は出金紙幣収納部２１からの繰り出しは終了するが、正規の千円紙幣が例えば６枚と識別されるとクラッチＣ１を再度励磁し、キッカローラ１５１−１を２回転追加される。
【００９４】
これにより２枚の正規の千円紙幣が識別されて紙幣一時保留部９へ収納されると、出金紙幣収納部２１からの紙幣の繰り出しが終了する。それでも８枚の正規の千円紙幣の繰り出しに至らないときは、不足の千円紙幣の枚数分クラッチＣ１を励磁させてキッカローラ１５１−１を追加回転させ、８枚の正規の千円紙幣の識別がなされると出金紙幣収納部２１からの繰り出しを終了する。
【００９５】
次いでクラッチＣ２が励磁され、出金紙幣収納部２２から上記と同様な繰り出し方法により１５万円分、すなわち１５枚の正規の万円紙幣が繰り出されて出金紙幣識別部１６で識別され、紙幣一時保留部９へ集積状態で一時保留される。
【００９６】
その途中で出金紙幣識別部１６が出金リジェクト紙幣と識別すると、その出金リジェクト紙幣は搬送路１０ｅから出金リジェクト紙幣収納部５ｂへ送り込まれ、水平状態で集積される。また出金紙幣識別部１６で不具合い紙幣（再識別可能紙幣）と識別された紙幣は搬送路１０ｅから搬送路１０ｆへ分岐され、搬送路１０ａ、１０ｅを通って、一時保留部２ａ２へ水平状態で集積される。
【００９７】
なお図２に上記紙幣の流れを示しているが、図において実線は出金正規紙幣のルート、破線は出金リジェクト紙幣のルート、鎖線は不具合い紙幣（再識別可能紙幣）のルートをそれぞれに示している。
【００９８】
前記のように搬送路センサ群Ｓｍを通じて紙幣一時保留部９へ１５万８千円分の正規紙幣が揃えられて集積されたことが確認されると、モータＭ１、Ｍ２、Ｍ４、Ｍ５が停止し、搬送路１０ａ、１０ｂ、１０ｃ（１０ｈも含む）、１０ｄ、１０ｅ、１０ｆ、１０ｈが停止する。
【００９９】
次いでモータＭ７により受台２３および下部搬送体２２が上昇し、下部搬送体２２の上昇途中で一時保留紙幣の上面が上部搬送体２１の下面に押し付けられ、紙幣の集積量に応じた量だけ上部搬送体２１が押し上げられて両搬送体２１、２２間に集積紙幣が狭持される。
【０１００】
次いでセンサ（図３における位置検知センサ群Ｓｎ）によりモータＭ５が低速回転し、上下の搬送体２１、２２により集積紙幣が出金口部８から一部が突出した状態になるまで搬送し、その一部が突出した時点でモータＭ５の停止（図３における搬送路センサ群Ｓｍによる）により停止する。
【０１０１】
顧客が出金口部８から集積紙幣を引き抜いて受け取ることにより出金紙幣の支払いは終了する。
【０１０２】
それと共にモータＭ７が再起動し、下部搬送体２２および受台２３は図２に示す下降位置に下がるとともにモータＭ７が停止する。またモータＭ３が起動し、一対の底板２ａ１１、２ａ１１、２ａ２１、２ａ２１が開き、不具合い紙幣（再識別可能紙幣）を出金紙幣収納部２１、２２へ収納した後、各一対の底板２ａ１１、２ａ１１、２ａ２１、２ａ２１が閉じ、モータＭ３が停止する。
【０１０３】
以上で出金モードは終了となる。
【０１０４】
なお、出金口部８から集積紙幣が所定時間経過しても引き抜かれない場合は、制御部１００を通じてまずモータＭ８が起動し、仕切板６を下降させて図２の一点鎖線図示位置に位置させたのちモータＭ８が停止となる。
【０１０５】
次に制御部１００を通じモータＭ５が逆方向に低速回転し、集積状態のまま紙幣は搬送路１０ｄ、１０ｅを通って回収収納部５ａへ送られる。搬送路センサ群Ｓｍが集積紙幣の回収を回収収納部５ａへの収納により検知するとモータＭ５が停止する一方、モータＭ８が起動し、仕切板６を図１の実線図示位置まで上昇させると停止する。そのとき取り忘れ取り込み・単位回収ランプＬ１が点灯する。
【０１０６】
機械管理者等は扉７ａを開け、取り忘れの出金紙幣を取り出す一方、その動作でモータＭ３が起動し、一対の底板２ａ１１、２ａ１１、２ａ２１、２ａ２１が開き、不具合い紙幣が各出金紙幣収納部２１、２２へ収納されて出金モードが完了する。
【０１０７】
このときの制御部１００の記憶部の千円および万円の各収納枚数合計値は、各出金紙幣収納部２１，２２内の紙幣枚数と出金リジェクト紙幣収納部５ｂ内の紙幣枚数との合計値であるとの考え方に立つ。
【０１０８】
なお、出金リジェクト紙幣収納部５ｂが満杯で取り出すときは、その金種別枚数を目で確認し、制御部１００を操作して記憶部の千円、万円の各収納枚数合計値から減算させる。
【０１０９】
上記出金については、例えば図６に示すフローチャートの内容で行われる。
【０１１０】
図６（Ａ）において、まず操作部１０１において出金枚数が入力され（ステップＳ１）、その出金として千円紙幣の繰り出しの有無がチェックされる（ステップＳ２）。千円紙幣の繰り出し有りの場合は千円紙幣の繰り出しが開始される（ステップＳ３）。
【０１１１】
繰り出された千円紙幣が出金紙幣識別部１６により正規紙幣であるか否かのチェックがなされ（ステップＳ４）、正規紙幣であるときはその千円紙幣が所定枚数繰り出されたか否かがチェックされ（ステップＳ５）、所定枚数に至ったとき千円紙幣の繰り出しが停止する（ステップＳ６）。
【０１１２】
続いて万円紙幣の繰り出しの有無がチェックされ（ステップＳ７）、万円紙幣の繰り出し有りの場合は万円紙幣の繰り出しが開始される（ステップＳ８）。
【０１１３】
繰り出された万円紙幣が正規紙幣か否かのチェックがなされ（ステップＳ９）、正規紙幣であるときはその万円紙幣が所定枚数繰り出されたか否かがチェックされ（ステップＳ１０）、所定枚数に至ったとき万円紙幣の繰り出しが停止する（ステップＳ１１）。これにより通常の出金は終了する（ステップＳ１２）。
【０１１４】
前記ステップＳ２において千円紙幣の繰り出し無しと判断された場合は万円紙幣の繰り出しに移行し、またステップＳ７において万円紙幣の繰り出し無しと判断された場合は終了（Ｓ１２）に至る。
【０１１５】
前記ステップＳ４において正規紙幣ではないと判断された場合には、図６（Ｂ）のルートに移行し、その千円紙幣が再識別可能な紙幣であるか否かがチェックされる（ステップＳ１３）。
【０１１６】
そして１回目の再識別可能な紙幣が１０枚連続したか否かがチェックされる（ステップＳ１４）。斜行あるいは連鎖等による再識別可能な紙幣が１０枚連続していたときは、千円紙幣の繰り出しを停止し（ステップＳ１５）、千円紙幣の繰り出し部を逆転させて紙幣繰り出し姿勢矯正動作が行われる（ステップＳ１６）。その後図６（Ａ）のステップＳ３に戻る。
【０１１７】
また前記ステップＳ１４で連続１０枚以下のとき、および１回目の連続１０枚に続き２回目の連続１０枚に至るまでのときはステップＳ１７において引き続きさらに２回目の連続１０枚か否かがチェックされ、２回目の連続１０枚に至ったときは機械ダウン（ステップＳ１８）となる。
【０１１８】
上記ステップＳ１７で連続１０枚以下のとき、および１回目の連続１０枚に続き２回目の連続１０枚に至るまでのときは図６（Ａ）のステップＳ４に戻り、再度正規紙幣か否かのチェックがなされる。
【０１１９】
なおステップＳ１４，Ｓ１７での連続１０枚の判断は、１枚でも正規紙幣が存在するとクリアされ、新たな連続枚数カウントとなる。これは後述のステップＳ２０，Ｓ２３についても同様である。
【０１２０】
万円紙幣の場合も、図６（Ｃ）のように千円紙幣の場合と同様にステップＳ１９により正規紙幣か否かがチェックされ、続いて１回目の連続１０枚か否かのチェック（ステップＳ２０）、万円紙幣繰り出し部の停止（ステップＳ２１）、万円紙幣の繰り出し部の逆転（姿勢矯正動作）（ステップＳ２２）を経て図６（Ａ）のステップＳ８へ戻り、また連続１０枚に至ったときはステップＳ２３で引き続き連続１０枚か否かがチェックされ、１０枚に至ったときは機械ダウン（ステップＳ２４）となる。連続１０枚以下のとき、および１回目の連続１０枚に続き２回目の連続１０枚に至るまでのときは図６（Ａ）のステップＳ９へ戻る。
【０１２１】
Ｃ）単位回収モード
単位回収モードとは、出金紙幣収納部２１、２２から１００枚単位で紙幣を回収するモードである。この場合、千円紙幣または万円紙幣のいずれかを１００枚、あるいは千円紙幣と万円紙幣とを組み合わせて１００枚のいずれであってもよく、上位機から制御部１００への指令信号Ｐｘによって決められる。
【０１２２】
ここでは前記指令信号Ｐｘが各出金紙幣収納部２１、２２からそれぞれ千円紙幣と万円紙幣を５０枚ずつ計１００枚を回収する場合について説明する。
【０１２３】
上記指令に基づいてまずモータＭ８が起動し、仕切板６が図１の実線図示位置から図２の一点鎖線図示位置にまで下降移動して停止する。
【０１２４】
各出金紙幣収納部２１、２２からの紙幣の繰り出しと搬送は前記出金モード時と同じである。異なる点としては、回収リジェクト紙幣を紙幣一時保留部９へ一時保留することと、回収不具合い紙幣（回収再識別可能紙幣）を一時保留部２ａ１、２ａ２へ受収し、処理の終了時に出金紙幣収納部２１、２２へ収納することなどである。
【０１２５】
すなわち出金紙幣収納部２１から紙幣が繰り出され、出金紙幣識別部１６で正規の千円紙幣と識別された紙幣は搬送路１０ｅを通って回収収納部５ａへ送り込まれ、水平状態で集積される。その間に出金紙幣識別部１６で回収リジェクト紙幣と判断された紙幣は紙幣一時保留部９へ集積される。また出金紙幣識別部１６で回収不具合い紙幣（回収再識別可能紙幣）と判断された紙幣は、繰り出された出金紙幣収納部２１に対応する一時保留部２ａ１に受収される。
【０１２６】
出金紙幣収納部２１から繰り出されて識別された紙幣が正規の千円紙幣で５０枚になると、同様にして出金紙幣収納部２２から万円紙幣の繰り出しに移行し、出金紙幣識別部１６により正規の万円紙幣であると判断されると回収収納部５ａへ、回収リジェクト紙幣は紙幣一時保留部９へ、回収不具合い紙幣（回収再識別可能紙幣）は一時保留部２ａ２へ受収される。
【０１２７】
合計１００枚の紙幣が識別され、正規紙幣と判断されて回収収納部５ａに収納（出金識別部１６と搬送路センサ群Ｓｍとによる確認）されると、モータＭ１、Ｍ２、Ｍ４、Ｍ５が停止する一方、モータＭ８が起動して仕切板６が図１の実線図示位置へ上昇して停止する。
【０１２８】
一方、取り忘れ取り込み・単位回収ランプＬ１を点灯させ、単位回収紙幣の取り出しを機械管理者等に促す。そして機械管理者等が扉７ａを開けて単位回収紙幣を取り出すと、前記ランプＬ１は消灯する。
【０１２９】
次いでモータＭ８が再起動し、仕切板６を図１の実線図示位置から図２の二点鎖線図示位置まで上昇させて停止する。
【０１３０】
次に出金一時保留部９の回収リジェクト紙幣を上部搬送体２１と下部搬送体２２とで挟着し、モータＭ５の低速回転により両搬送体２１、２２が図１および図２の右方向に駆動され、回収リジェクト紙幣は搬送路１０ｄ、１０ｅを通って出金リジェクト紙幣収納部５ｂへ集積状態のまま受収される。
【０１３１】
出金リジェクト紙幣収納部５ｂに紙幣が収納されると、位置検知センサ群Ｓｎ（図３）の一つによりそれを検知し、モータＭ５を停止させるとともにモータＭ８を再起動させ、仕切板６を図１に示す実線図示位置まで下降させて停止する。
【０１３２】
一方、モータＭ３が起動し、各一対の底板２ａ１１、２ａ１１、２ａ２１、２ａ２１を開き、一時保留されている回収不具合い紙幣（回収再識別可能紙幣）を各出金紙幣収納部２１、２２へ収納し、そのモータＭ３を停止させる。なお回収紙幣が出金紙幣識別部１６で正規紙幣と判断されたときはその都度制御部１００の記憶部の千円、万円紙幣の対応する枚数値から１枚ずつ減算されて行く。回収不具合紙幣（回収再識別可能紙幣）と回収リジェクト紙幣は各枚数値から減算されない。
【０１３３】
Ｄ）回収モード
この回収モードも各モータＭ１、Ｍ２、Ｍ４、Ｍ５の駆動は他のモードの場合と同様であるので、他の異なる点のみについて説明する。
【０１３４】
図３において、回収モードに関する指令信号Ｐｘが制御部１００に入力されることを条件に機械管理者等が図４の回収釦Ｄ３を押すと、表示ランプＬ３（図４示）が点滅する。
【０１３５】
一方、図１および図２のステージ１３がモータＭ６により上昇し、停止状態にある補充繰り出し部１２から所定寸法だけ下降した位置になる。
【０１３６】
また補充・回収紙幣収納部３の図１、図２における上部左側にある紙幣繰り込み口１２Ａ（切換部Ｇ３近傍位置）の紙幣繰り込みベルト、プーリー、および対向するローラ（それぞれモータＭ１で駆動）はこれらを被覆していたガイド（図示せず）が退避し、回収紙幣の繰り込みが可能な状態となる。この状態でモータＭ８が起動し、仕切板６を図２の二点鎖線図示位置へ上昇位置させて停止する。このときクラッチＣ３は非励磁のままで補充繰り出し部１２は停止状態におかれている。
【０１３７】
次いでまずクラッチＣ１が励磁され、出金紙幣収納部２１内の、紙幣が１枚ずつ繰り出され、出金紙幣識別部１６で正規の回収紙幣か、回収リジェクト紙幣か、回収不具合い紙幣（回収再識別可能紙幣）かが識別される。このとき制御部１００の記憶部の千円紙幣枚数値から正規回収紙幣と判断された紙幣のみが減算される。なお万円紙幣についても同じである。
【０１３８】
正規の回収紙幣は、搬送路１０Ｃ（１０ｈを含む）、１０ｅ、１０ｆ、１０ａ、１０ｂ、切換部Ｇ３を通じてステージ１３上へ水平姿勢で集積される。このとき最上位の紙幣と補充繰り出し部１２との間に適正な間隔を保つよう、紙幣の回収枚数に応じてモータＭ６を間欠的に逆転駆動し、ステージ１３を所定量ずつ下降させる。
【０１３９】
また回収リジェクト紙幣は、出金リジェクト紙幣収納部５ｂに受収する。さらに回収不具合い紙幣（回収再識別可能紙幣）は搬送路１０ｃ（１０ｈを含む）、１０ｅ、１０ｆ、１０ａ、１０ｂ、切換部Ｇ１を通じて一時保留部２ａ１へ送られる。
【０１４０】
出金紙幣収納部２１内のすべての紙幣が繰り出されたことを位置検知センサ群Ｓｎの一つが検知するとクラッチＣ１が非励磁とされ、繰り出し部１５１が停止する。次にモータＭ３が起動して一対の底板２ａ１１、２ａ１１（２ａ２１、２ａ２１も同時に開く）が開いて一時保留紙幣が出金紙幣収納部２１内へ収納される。
【０１４１】
次にクラッチＣ１が励磁され、紙幣を再度繰り出し、出金紙幣識別部１６で正規の回収紙幣と判断されると補充・回収紙幣収納部３へ、回収リジェクト紙幣および回収不具合い紙幣（回収再識別可能紙幣）は出金リジェクト紙幣収納部５ｂに受収される。
【０１４２】
こうして出金紙幣収納部２１内のすべての紙幣の繰り出し、搬送、受収がなされると、クラッチＣ１が非励磁になるとともにクラッチＣ２が励磁され、万円紙幣の回収動作に移行する。
【０１４３】
この万円紙幣に関しても出金紙幣識別部１６で万円正規回収紙幣、回収リジェクト紙幣、回収不具合い紙幣（回収再識別可能紙幣）に区分され、補充・回収紙幣収納部３、出金リジェクト紙幣収納部５ｂ、一時保留部２ａ２のそれぞれに送られる。
【０１４４】
そして出金紙幣収納部２２内のすべての紙幣が繰り出され、識別、搬送、受収が行われると、クラッチＣ２が非励磁となり、繰り出し部１５２を停止させるとともにモータＭ３が起動し、一時保留紙幣を出金紙幣収納部２２内へ収納する。
【０１４５】
次いでクラッチＣ２が再度励磁され、出金紙幣収納部２２内の紙幣が繰り出され、回収正規紙幣は補充・回収紙幣収納部３へ、回収リジェクト紙幣と回収不具合紙幣（回収再識別可能紙幣）は出金リジェクト紙幣収納部５ｂへ受収される。また補充・回収紙幣収納部３への紙幣の収納が終わるとモータＭ６は一旦停止する。
【０１４６】
次にモータＭ８を起動させ、仕切板６を図１の実線図示位置へ移動させて停止する。またモータＭ１、Ｍ２、Ｍ４、Ｍ５（高速回転）を停止させる。
【０１４７】
一方、モータＭ６は再度駆動され、逆転方向に連続回転し、ステージ１３が図１、図２において最下降位置に移動して停止する。また補充・回収ランプＬ３は、回収途中では点滅しているが、ステージ１３が最下降位置まで下がると点灯に切り替わる。そして機械管理者等が扉４を開け、回収紙幣のすべてを取り出すと上記ランプＬ３は消灯される。
【０１４８】
出金リジェクト紙幣収納部５ｂについては、出金または回収リジェクト紙幣が存在するとランプＬ２は点滅し、それらの紙幣が満杯になると点灯（この場合、紙幣を取り出さない限り機械は作動しない）し、仕切板６が図１、図２の実線図示位置に位置していることを条件に扉７ｂが開放でき、出金および回収リジェクト紙幣を取り出すことができる。この出金および回収リジェクト紙幣の金種別枚数を人手により確認し、制御部１００の記憶部の千円、万円の紙幣の各枚数値から減算すると千円、万円紙幣の各枚数値は零となる。
【０１４９】
以上で回収モードは終了する。
【０１５０】
なお上記において単位回収モードあるいは回収モードで取り出した回収紙幣、回収および／または出金リジェクト紙幣は中央精算所へ持参して手渡す。
【０１５１】
Ｅ）無計数補充モード
前記の（Ａ）補充モードとは別にこの無計数補充モードがある。この（Ｅ）無計数補充モードと前記（Ａ）補充モードとの相違は、（Ａ）補充モードでは機外紙幣を機内へ補充するのに対し、（Ｅ）無計数補充モードは機内に存在する紙幣（出金リジェクト紙幣収納部５ｂ内の紙幣）を出金紙幣収納部２１，２２へその一時保留部２ａ１，２ａ２を経由して補充することと、補充紙幣識別部１１で正規の千円、万円紙幣と識別されてもその計数値を制御部１００の記憶部の千円、万円紙幣の各枚数値に加算しないことである。
【０１５２】
上記記憶部の千円、万円紙幣の各枚数値は、（Ｂ）出金モード、（Ｃ）単位回収モード、（Ｄ）回収モードの説明においても述べたように、出金紙幣収納部２１，２２から繰り出されて出金紙幣識別部１６で識別される不具合紙幣（再識別可能紙幣）、出金リジェクト紙幣、回収リジェクト紙幣の各枚数値は減算されていない。
【０１５３】
すなわち出金紙幣収納部２１，２２内の各紙幣枚数と、出金リジェクト紙幣収納部５ｂ内の紙幣の各枚数（出金リジェクト紙幣でも人の目で見ると千円紙幣と万円紙幣とを区分け可能であり、各金種紙幣の枚数を指す）の各合計値が制御部１００の記憶部の千円および万円紙幣の各枚数値と一致するとの考えからである。
【０１５４】
この（Ｅ）無計数補充モードの時に補充紙幣識別部１１でリジェクト紙幣と判断された紙幣は、搬送路１０ｇ（無計数補充モード用接続搬送路）、搬送路１０ｅを通って出金リジェクト紙幣収納部５ｂへ送られる。
【０１５５】
以下にその動作について説明する。
【０１５６】
例えば出金途中で金種別出金紙幣収納部２１，２２内の紙幣が減少して出金額に達しない場合、すなわち１人の顧客との取引の途中で金種別出金紙幣収納部２１，２２内の紙幣が減少して出金できなくなる場合がある。
【０１５７】
このような場合、図３において上位機から無計数補充モードの指令信号Ｐｘが制御部１００に入力される。これにより（Ｂ）出金モードの取引動作途中の場合は制御部１００は出金取引中断状態となる。次いで出金・回収リジェクトランプＬ２（図１０示）が点灯し、出金リジェクト紙幣収納部５ｂ内の紙幣の取り出しを機械管理者等に促す。また補充・回収ランプＬ３が「長い間隔の点滅」を繰り返し、「無計数補充モード」の操作を機械管理者等に促す。
【０１５８】
機械管理者等は出金リジェクト紙幣収納部５ｂ内の紙幣をすべて取り出し、補充・回収紙幣収納部３へ装填する。
【０１５９】
次に補充釦Ｄ２を押すと、仕切板６が図２に二点鎖線図示位置へ上昇し、次いでステージ１３が上昇し、ステージ１３上の紙幣が補充繰り出し部１２に押しつけられて以降、前記（Ａ）補充モードと同様に紙幣が繰り出され、補充紙幣識別部１１で正規紙幣と判断されると搬送路１０ａ，１０ｂを通じ各対応する一時保留部２ａ１，２ａ２へ、リジェクト紙幣と判断された紙幣は搬送路１０ａから切換部Ｇ６を通じて搬送路１０ｇへ送られ、合流部１９において搬送路１０ｅに至り、出金リジェクト紙幣収納部５ｂへ送られる。
【０１６０】
補充・回収紙幣収納部３内の紙幣が無くなり、補充紙幣識別部１１を通過した最後の紙幣が一時保留部２ａ１，２ａ２、出金リジェクト紙幣収納部５ｂのいずれかに入る時間経過したのちに仕切板６を図１の実線図示位置へ位置させる一方、一時保留部２ａ１，２ａ２の底板２ａ１１，２ａ１１，２ａ２１，２ａ２１を開放させて一時保留紙幣を千円および万円の各出金紙幣収納部２１，２２へ収納させる。
【０１６１】
この状態で機械は停止し、（Ｅ）無計数補充モードは終了する。なお（Ｂ）出金モードの取引中断の場合は、（Ｅ）無計数補充モードが終了すると自動的に（Ｂ）出金モードの取引中断が解除され、出金動作が引き続き継続して動作される。
【０１６２】
以上で（Ａ）〜（Ｅ）の各モードの動作説明を終わる。
【０１６３】
ところで、図示の実施形態では、紙幣一時保留部における紙幣の集積方向を上下方向とした場合について示したが、紙幣を立位姿勢で集積するものであってもよい。
【０１６４】
また一時保留紙幣が所定量になると一時保留紙幣を集積状態で送出する時期は、出金紙幣である場合は操作入力される出金希望金額と実際に繰り出される出金一時保留金額が一致した段階でその一時保留紙幣が自動的に出金のために送出される態様、あるいは上記一致後の出金承認操作によって出金送出される態様のいずれであってもよい。
【０１６５】
第１搬送体（上部搬送体）および第２搬送体（下部搬送体）は、ベルト構造によるほかローラ構造、ベルトとローラとの組み合せ構造とすることができる。
【０１６６】
また受台の紙幣集積位置は、一定位置としてもよいほか、第１搬送体と一時保留紙幣上面との間に適切な間隔が空くよう一時保留紙幣量の増加とともに第１搬送体に対し離反させるよう制御するようにしてもよい。
【０１６７】
本実施形態における補充・回収紙幣収納部３は機械に固定され、扉４を開けて紙幣を補充するようにした形態をとっているが、これに限定されるものではなく、カセット構造として機体に対し着脱可能な構成としてもよい。
【０１６８】
また各金種別一時保留部は、各金種別出金紙幣収納部とは独立した空間として設ける形態、金種別出金紙幣収納部の収納空間の一部を金種別一時保留部の空間として共用する形態のいずれであってもよい。後者の場合は、一時保留紙幣の増加に併せて底板２ａ１１，２ａ１１（２ａ２１，２ａ２１）を金種別出金紙幣収納部２１（２２）の収納空間へ下降させる構成とすることもあり、これによれば一時保留紙幣量を随意に増やすことができる。
【０１６９】
【発明の効果】
以上説明したように請求項１および２に記載の発明によれば、出金紙幣識別部は出金正規紙幣と出金不正規紙幣との識別に留まらず、出金不正規紙幣について出金に供し得べき再識別可能な紙幣と出金には供し得ない出金リジェクト紙幣との識別を行い、再識別可能な紙幣は出金紙幣として使用可能とし、また繰り出された紙幣が出金紙幣識別部を通じて連続して設定枚数分再識別可能紙幣と判断されたときには紙幣繰り出し部を正常繰り出し動作から紙幣繰り出し姿勢矯正動作に切り替え、この紙幣繰り出し姿勢矯正動作の後正常繰り出し動作に復帰させるようにしたことによりリジェクトされる紙幣量が大幅に減少し、機械のエラーダウンの機会を著しく少なくすることができる。
【０１７０】
請求項３に記載の発明によれば、上記請求項１、２に記載の発明による効果に加え、補充・回収紙幣収納部を通じて機内への紙幣の補充と機内からの紙幣の回収を図ることができ、また機体の背面から回収口部、補充・回収紙幣収納部、出金リジェクト紙幣収納部の操作を行え、これらにより機械の操作性の格段の向上を図ることができる。
【図面の簡単な説明】
【図１】本発明による紙幣出金処理機の一実施形態を示す略示断面図。
【図２】同、紙幣の流れを示す説明図。
【図３】全体の制御ブロック図。
【図４】機体の背面図。
【図５】出金紙幣収納部の繰り出し部と搬送路（１０ｃ）の駆動系の説明図。
【図６】出金時のフローチャート。
【符号の説明】
１  機体
２１、２２  出金紙幣収納部
２ａ１、２ａ２  一時保留部
３  補充・回収紙幣収納部
５  出金リジェクト紙幣収納部
５’ａ  回収口部としての開口部
８  出金口部
９  紙幣一時保留部
１０ａ〜１０ｈ  搬送路
２１  第１搬送体（上部搬送体）
２２  第２搬送体（下部搬送体）
２３  受台
【図１】
0003983486.tif 000002
【図２】
0003983486.tif 000003
【図３】
0003983486.tif 000004
【図４】
0003983486.tif 000005
【図５】
0003983486.tif 000006
【図６】
0003983486.tif 000007